(57)【特許請求の範囲】
【請求項１】
レーザー装置であって、該装置は、
利得バンド幅を有するファイバー利得媒質を含むレーザー共振器であって、該共振器は、平面端鏡を含む、レーザー共振器と、
該レーザー共振器においてレーザー放射を発生させるための利得ファイバーにエネルギーを与えるように配置されたポンピング放射源と、
該共振器に設けられた、該レーザー放射をモードロックパルスとして発生させるためのモードロック要素であって、該モードロックパルスは、該利得ファイバーを通って伝搬する間に分散を受ける、モードロック要素と、
該モードロックパルスによって受けられた該分散を補償するため、および該利得ファイバーの該利得バンド幅内の該モードロックパルスの中心波長を選択するための波長選択性分散補償デバイスであって、該波長選択性分散補償デバイスは、該共振器内において該平面端鏡の近くに設けられた単一の回折格子と、該格子と該平面端鏡との間に設けられた第一のレンズと、第二のレンズとを含み、該格子は、該第二のレンズと該第一のレンズとの間に設けられている、波長選択性分散補償デバイスと
を含む、装置。
【請求項２】
前記波長選択性分散補償デバイスは、前記パルスのスペクトルバンド幅も選択する、請求項１に記載の装置。
【請求項３】
前記レーザー共振器は、前記平面端鏡と第二の端鏡との間に形成された線形レーザー共振器である、請求項１に記載の装置。
【請求項４】
前記モードロック要素は、前記レーザー共振器の第二の端鏡として機能する可飽和ブラッグ鏡である、請求項１に記載の装置。
【請求項５】
前記可飽和ブラッグ鏡は、前記利得ファイバーに突合せ連結されている、請求項４に記載の装置。
【請求項６】
前記共振器は、進行波レーザー共振器である、請求項１に記載の装置。
【請求項７】
レーザー装置であって、該装置は、
利得バンド幅を有するファイバー利得媒質を含む線形レーザー共振器であって、該レーザー共振器は、長手方向の共振器軸を有し、一端において可飽和ブラッグレフレクターによって終端をなされ、もう一端において平面鏡によって終端をなされ、該可飽和ブラッグレフレクターは、モードロック要素として機能する、線形レーザー共振器と、
該レーザー共振器においてレーザー放射を発生させるための利得ファイバーにエネルギーを与えるように配置されたポンピング放射源であって、該レーザー放射は、モードロックパルスとして発生させられ、該モードロックパルスは、該利得ファイバーを通って伝搬する間に分散を受ける、ポンピング放射源と、
該利得ファイバーと該平面鏡との間の該レーザー共振器に設けられた第一のレンズ、単一の回折格子、および第二のレンズであって、該単一の回折格子は、該第一のレンズと該第二のレンズとの間に設けられている、第一のレンズ、単一の回折格子、および第二のレンズと
を含み、該第一および第二のレンズ、該単一の回折格子、および該平面鏡は、該利得ファイバーを通って伝搬する該パルスによって受けられた該分散を補償する分散を提供しかつ該利得ファイバーの該利得バンド幅内の該モードロックパルスの中心波長を選択するように、配置されている、
装置。
【請求項８】
前記第一のレンズは、該第一のレンズのおよそ焦点距離だけ前記利得ファイバーから軸方向に間隔をあけられ、前記第二のレンズは、該第二のレンズのおよそ焦点距離だけ前記平面鏡から軸方向に間隔をあけられ、該第二のレンズは、該第二のレンズの該焦点距離とは異なる距離だけ前記単一の回折格子から軸方向に間隔をあけられている、請求項７に記載の装置。
【請求項９】
前記補償する分散、前記利得ファイバーの前記利得バンド幅内の前記モードロックパルスの前記中心波長、および該モードロックパルスのスペクトルバンド幅のうちの１つ以上を変えるために、前記単一の回折格子と前記第二のレンズとの間の前記距離は、選択的に可変である、請求項８に記載の装置。
【請求項１０】
前記利得ファイバーの前記利得バンド幅内の前記モードロックパルスの中心波長を選択するために、前記平面鏡は、前記長手方向の共振器軸に直角をなす軸について選択的に傾けることができる、請求項８に記載の装置。
【請求項１１】
パルスファイバーレーザーであって、該レーザーは、
第一および第二の端鏡によって終端をなされている共振器であって、該第一の端鏡は、平面鏡である、共振器と、
該共振器内に設けられた利得ファイバーと、
該利得ファイバーを励起するためのポンピング源と、
レーザーパルスを発生させるために該レーザーをモードロックするように配置された、該共振器における可飽和吸収体と、
該共振器において該利得ファイバーの一端と該第一の端鏡との間に設けられた単一の透明格子と、
該格子と該第一の端鏡との間に設けられた第一のレンズと、
該利得ファイバーの該一端と該単一の透明格子との間に設けられた第二のレンズと
を含み、
該第一および第二のレンズ、該単一の透明格子、および該第一の端鏡は、該レーザーパルスにおいて該ファイバーから引き起こされる分散を補償し、該利得ファイバーの該利得バンド幅内の該モードロックパルスの中心波長を選択するように配置されている、レーザー。
【請求項１２】
前記第一の端鏡の表面に対する法線は、前記第一のレンズの光軸に関して傾けられる、請求項１１に記載のレーザー。
【請求項１３】
前記第一のレンズと前記第一の端鏡との間に設けられた、前記レーザーのスペクトルバンド幅を狭くするための開口板をさらに含む、請求項１２に記載のレーザー。
【発明の詳細な説明】
【技術分野】
【０００１】
（発明の技術分野）
本発明は、一般に、ファイバーレーザーに関連する。本発明は、特に、モードロックファイバーレーザーに関連する。
【背景技術】
【０００２】
（背景技術の論述）
超ショートパルスの安定した低ノイズ光源は、超高速分光学、多光子励起顕微鏡法、ミクロ機械加工、調波発生、ならびにポンピングパラメトリック増幅器および発振器を含む広範囲の用途にとって重要である。そのような光源は、通例、当業者によって超高速レーザーと呼ばれる。最も一般的な超高速レーザーは、広い利得バンド幅を有する結晶利得媒質（たとえば、チタンドープサファイア（Ｔｉ：サファイア））を有する固体レーザーである。
【０００３】
ファイバーレーザーは、固体超高速レーザーに魅力的な代案を提示する。そのようなレーザは、広範囲のパルス繰返し周波数（たとえば、約１０メガヘルツ（ＭＨｚ）と４００ＭＨｚとの間）において動作する能力を提供し、かつコンパクトなパッケージに含まれうる。固体結晶レーザーと比較すると、ファイバーレーザーは、大きなキャビティー内分散を有する。これは、レーザーの共振器（キャビティー）光路の大部分が、ガラス（ファイバー）中であり、空気中ではないからである。キャビティー内分散が小さくなるほど、獲得されうるパルスは短くなるということが、よく知られている。
【０００４】
ファイバーレーザーにおけるキャビティー内分散を減らすいくつかの方法がある。１つは、チャープファイバーブラッグ格子（ＣＦＢＧ）を使用する。別のものは、バルク回折格子に基づいたコンプレッサーおよびストレッチャー配置を使用する。さらに別の方法は、光子バンドギャップファイバー、または特別に設計された分散プロファイルを有する他の特別なファイバーを使用することにより、利得ファイバーおよびキャビティー内構成要素によって提供された分散を補償する。
【０００５】
チャープファイバーブラッグ格子（ＣＦＢＧ）は、ファイバー分散が完全には補償されない場合、すべてのファイバーキャビティーからピコ秒パルスを発生させるために、しばしば使用される。しかし、たとえば１ピコ秒毎ナノメートル（ｐｓ／ｎｍ）より小さい、小さな分散において、ＣＦＢＧは、概して低い反射率（＜４０％）を有する。そのような低い反射率は、モードロックファイバーレーザーにおいてそのような格子を使用することを困難にし、そのモードロックファイバーレーザーにおいてモードロックに要求される反射率は、概して５０％より高い。モードロックファイバーレーザーは、１ピコ秒（ｐｓ）より短いパルスが要求される場合に、しばしば使用される。
【０００６】
回折格子に基づいたコンプレッサー配置は、調節可能な分散を提供し、その分散は、キャビティー内分散を正確に補償するために調整されうる。そのようなコンプレッサー配置の例１０が、図１に描写される。コンプレッサー１０は、間隔をあけられてかつ互いに平行に配置された本質的に同一の回折格子１２Ａおよび１２Ｂを、鏡１４と一緒に含み、その鏡１４は、基板１８の上の多層反射コーティング１６を含む。
【０００７】
ここで、入力パルスＰＩｎは、λ３−λ１のスペクトルバンド幅、および中心波長λ２を有する。キャビティー内分散の結果としてλ１のようなより短い波長が、λ３のようなより長い波長よりも遅れ、それによってパルスの存続時間（長さ）を増加させることが、想定される。格子１２Ａは、パルス波長を異なる角度で回折し、λ３のようなより長い波長は、λ１のようなより短い波長よりも大きな角度で回折する。格子１２Ｂは、様々に回折された波長を、平行な経路に沿って、鏡１４に入射するように指向する。鏡１４は、波長をそれらの入射経路に沿って反射することにより、入力パルスの経路上で、出力パルスＰｏｕｔとして再結合させる。より長い波長の経路が、より短い波長の経路よりも長いので、より短い波長は、出力パルスが、入力パルスよりも短い存続時間を有するほど十分に、より長い波長に「追いつく」。
【０００８】
モードロックファイバーレーザーの端鏡に使用される「格子対」パルスコンプレッサー（たとえば、コンプレッサー１０）の鏡を用いて、１ｐｓより短いパルスが獲得されてきた。しかし、そのようなコンプレッサーは、特定の欠点を有する。一欠点は、コンプレッサーのスペクトル選択性が非常に低い場合、コンプレッサーを有するレーザーキャビティーにおけるレージング波長の制御が困難であるということである。例の目的で、図２は、透過格子（たとえば、格子１２Ａおよび１２Ｂ）の典型的な測定された回折効率を概略的に図示する。回折効率は、約１０００ｎｍと１０８０ｎｍとの間のスペクトル（波長）範囲にわたって、ほんの数パーセントだけ変動するということが見られうる。したがって、図１の先行技術コンプレッサーは、よくても、この範囲において弱い波長選択性であると、説明されえ、この範囲は、イッテルビウム（Ｙｂ）ドープ利得ファイバーのおよそ全ての利得範囲（発光範囲）を表す。
【０００９】
図３は、図１のコンプレッサー１０のような格子対コンプレッサーを含むモードロックファイバーレーザーの典型的な先行技術配置２０を概略的に図示する。レーザー２０は、コンプレッサー１０の鏡１４と可飽和ブラッグレフレクター（ＳＢＲ）２２との間に形成された共振キャビティーを有し、そのＳＢＲ２２はレーザーの受動モードロックを提供する。共振キャビティー（共振器）は、アクティブ（ドープ）ファイバー２６、ならびに連結器２８および３０のスルーファイバー３２および３６を含み、そのスルーファイバー３２および３６は、アクティブファイバーに継がれる。ＳＢＲ２２は、可飽和吸収体およびブラッグレフレクターから形成される。ＳＢＲ２２の一表面は基板２６に取り付けられ、反対の表面はファイバー３６に突合せ連結される。レンズ４０は、放射がコンプレッサー１０に入る前に、共振器のファイバー部分からの放射をコリメートする。レンズ４０は、コンプレッサーからの放射を集束させ、共振器のファイバー部分内に戻す。半波長板４２は、格子１２Ｂおよび１２Ａを通した透過を最大にするために、戻ってくる放射の偏光を調節する。連結器３０は、ポンピング放射を共振器のファイバー部分内にファイバー３８経由で連結する波長分割多重方式（ＷＤＭ）連結器である。連結器２８は、循環する放射の一部を共振器の外へファイバー３４経由でモードロック出力パルスとして連結する部分的連結器である。
【００１０】
図４は、約８５０ｎｍと１１５０ｎｍとの間の波長範囲にわたる吸収スペクトル（連続した曲線）および発光スペクトル（破線の曲線）を概略的に図示する。発光曲線は、約９７５ｎｍに中心をもつ強く狭いピークを有し、そのピークは、通例Ｙｂドープファイバーにとって好ましいポンピング波長である約９８０ｎｍの波長に中心をもつ吸収スペクトルにおけるピークに部分的に重なり合う。より長い波長において、発光曲線は、約１０３５ｎｍと約１０４０ｎｍとの間のピーク利得を伴い比較的強く変動する。コンプレッサー１０の比較的弱いスペクトル選択性が原因で、かつ共振器内に他のいずれのスペクトル選択性デバイスもないので、利得曲線は、波長選択工程を支配し、（９８０ｎｍ放射によってポンピングされる）共振器は、１０３５ｎｍから１０４０ｎｍまでのピーク利得範囲において振動する。
【００１１】
スペクトル選択性の欠如に加えて、格子対コンプレッサーの別の欠点は、循環する放射が、各格子を通る、前方へのおよび逆の経路をなすということである。図２に図示されるように、たとえ約９５％の効率が与えられても、４つの経路は、約２０％の共振器損失を導入する。アクティブファイバー２６が高い利得を有し、かつ共振器が比較的高い損失に耐えうるが、そのような損失は、ファイバーレーザーの全効率から損なわれる。さらに別の欠点は、回折格子の高いコストであり、その回折格子は、レーザーキャビティーにおいてはるかに高価な構成要素である。２つのそのような格子を含むことは、比較的安価なレーザーであるものを非常に高価にする。
【００１２】
利得ファイバーの利得バンド幅内のレージング波長を決定するのに十分に高いスペクトル選択性を有するが、２つの回折格子を要求しない、キャビティー内コンプレッサー配置に対するニーズがある。そのようなコンプレッサーは、制御可能なレージング波長を有する低コストフェムト秒レーザーシステムを作ることを可能にし、その制御可能なレージング波長は、そのようなシステムの用途の範囲を拡張しうる。
【発明の概要】
【課題を解決するための手段】
【００１３】
（発明の概要）
本発明に従う装置の一局面は、利得バンド幅を有するファイバー利得媒質を含むレーザー共振器を含む。ポンピング放射源は、レーザー共振器においてレーザー放射を発生させるための利得ファイバーにエネルギーを与えるように配置される。モードロック要素は、レーザー放射をモードロックパルスとして発生させるために共振器に設けられ、モードロックパルスは、利得ファイバーを通って伝搬する間に分散を受ける。波長選択性分散補償デバイスは、モードロックパルスによって受けられた分散を補償するため、および利得ファイバーの利得バンド幅内のモードロックパルスの中心波長を選択するためにレーザー共振器に設けられる。
【００１４】
本発明の装置の好ましい実施形態において、波長選択性分散補償デバイスは、間に透過回折格子を有する第一および第二のレンズを含む。利得ファイバーから出る放射は、第一のレンズによってコリメートされ、回折格子によって回折されて光線の、スペクトルで部類分けされたファンにされ、第二のレンズによって平面鏡に集束させられ、その平面鏡は、スペクトルで広げられた光線を反射して第一のレンズを通して回折格子まで戻す。回折格子は、スペクトルで広げられた光線を指向して第一のレンズに戻し、その第一のレンズは光線を集束させてファイバー内に戻す。スペクトル選択および分散補償は、格子と第二のレンズとの間の間隔を選択的に変えることによって、選択的に変えられうる。デバイスにおいて１つの回折格子しかないので、損失は、本質的にスペクトル選択性のない先行技術の格子対補償デバイスと比べて、有意に減少させられる。
本願明細書は、例えば、以下の項目も提供する。
（項目１）
レーザー装置であって、該装置は、
利得バンド幅を有するファイバー利得媒質を含むレーザー共振器と、
該レーザー共振器においてレーザー放射を発生させるための該利得ファイバーにエネルギーを与えるように配置されたポンピング放射源と、
該共振器に設けられた、該レーザー放射をモードロックパルスとして発生させるためのモードロック要素であって、該モードロックパルスは、該利得ファイバーを通って伝搬する間に分散を受ける、モードロック要素と、
該モードロックパルスによって受けられた該分散を補償するため、および該利得ファイバーの該利得バンド幅内のモードロックパルスの中心波長を選択するための波長選択性分散補償デバイスと
を含む装置。
（項目２）
前記波長選択性デバイスは、前記パルスのスペクトルバンド幅も選択する、項目１に記載の装置。
（項目３）
前記レーザー共振器は、第一および第二の端鏡の間に形成された線形レーザー共振器である、項目１に記載の装置。
（項目４）
前記波長選択性分散補償デバイスは、第一および第二のレンズと、該第一および第二のレンズの間の回折格子と、該第二のレンズの次にくる平面鏡とを含み、該平面鏡は、前記レーザー共振器の前記第一の端鏡として機能し、該第一および第二のレンズ、該回折格子、および該鏡は、前記パルスの前記中心波長およびスペクトルバンド幅を選択しかつ前記分散補償を提供するように、構成されている、項目３に記載の装置。
（項目５）
前記モードロック要素は、前記レーザー共振器の前記第二の端鏡として機能する可飽和ブラッグ鏡である、項目４に記載の装置。
（項目６）
前記可飽和ブラッグ鏡は、前記利得ファイバーに突合せ連結されている、項目５に記載の装置。
（項目７）
前記共振器は、進行波レーザー共振器である、項目１に記載の装置。
（項目８）
前記進行波レーザー共振器は、
前記ファイバー利得媒質を含む一方向の伝搬部分と、
前記波長選択性分散補償デバイスの構成要素と第一の偏光回転デバイスとを含み、かつ第一の戻す鏡によって終端をなされている第一の両方向の伝搬部分と、
前記モードロックデバイスと第二の偏光回転デバイスとを含み、かつ第二の戻す鏡によって終端をなされている第二の両方向の伝搬部分と
を有し、該第一および第二の両方向の伝搬部分は、該第一および第二の偏光回転デバイスと協同した偏光ビームスプリッターによって、該一方向の伝搬部分と接続されかつ互いに接続されている、項目７に記載の装置。
（項目９）
前記波長選択性分散補償デバイスは、第一および第二のレンズと、該第一および第二のレンズの間の回折格子と、該第二のレンズの次にくる平面鏡とを含み、該平面鏡は、前記第一の戻す鏡として機能し、該第一および第二のレンズ、該回折格子、および該鏡は、前記パルスの前記中心波長およびスペクトルバンド幅を選択しかつ前記分散補償を提供するように、構成され、該第一のレンズは、前記共振器の前記一方向の伝搬部分に設けられ、該第二のレンズおよび該回折格子は、該共振器の前記第一の両方向の伝搬部分に設けられている、項目８に記載の装置。
（項目１０）
前記モードロック要素は、前記共振器の前記第二の両方向の伝搬部分の前記第二の戻す鏡として機能する可飽和ブラッグ鏡である、項目９に記載の装置。
（項目１１）
レーザー装置であって、該装置は、
利得バンド幅を有するファイバー利得媒質を含む線形レーザー共振器であって、該レーザー共振器は、長手方向の共振器軸を有し、一端において可飽和ブラッグレフレクターによって終端をなされ、もう一端において平面鏡によって終端をなされ、該可飽和ブラッグレフレクターは、モードロック要素として機能する、線形レーザー共振器と、
該レーザー共振器においてレーザー放射を発生させるための該利得ファイバーにエネルギーを与えるように配置されたポンピング放射源であって、該レーザー放射は、モードロックパルスとして発生させられ、該モードロックパルスは、該利得ファイバーを通って伝搬する間に分散を受ける、ポンピング放射源と、
利得ファイバーと該平面鏡との間の該レーザー共振器に設けられた第一のレンズ、回折格子、および第二のレンズであって、該回折格子は、該第一および第二のレンズの間に設けられている、第一のレンズ、回折格子、および第二のレンズと
を含み、該第一および第二のレンズ、該回折格子、および該平面鏡は、該ファイバーを通って伝搬する該パルスによって受けられた該分散を補償する分散を提供しかつ該利得ファイバーの該利得バンド幅内の該モードロックパルスの中心波長を選択するように、配置されている、
装置。
（項目１２）
前記第一のレンズは、該第一のレンズのおよそ焦点距離だけ前記ファイバーから軸方向に間隔をあけられ、前記第二のレンズは、該第二のレンズのおよそ焦点距離だけ前記平面鏡から軸方向に間隔をあけられ、該第二のレンズは、該第二のレンズの該焦点距離とは異なる距離だけ前記格子から軸方向に間隔をあけられている、項目１１に記載の装置。
（項目１３）
前記補償する分散、前記利得ファイバーの前記利得バンド幅内の前記モードロックパルスの前記中心波長、および該モードロックパルスの前記スペクトルバンド幅のうちの１つ以上を変えるために、前記格子と前記第二のレンズとの間の前記距離は、選択的に可変である、項目１２に記載の装置。
（項目１４）
前記利得ファイバーの前記利得バンド幅内の前記モードロックパルスの中心波長を選択するために、前記平面鏡は、前記長手方向の共振器軸に直角をなす軸について選択的に傾けることができる、項目１２に記載の装置。
（項目１５）
レーザー装置であって、該装置は、
利得バンド幅を有するファイバー利得媒質を含む進行波レーザー共振器と、
該レーザー共振器においてレーザー放射を発生させるための該利得ファイバーにエネルギーを与えるように配置されたポンピング放射源と、
該共振器に設けられた、該レーザー放射をモードロックパルスとして発生させるためのモードロック要素であって、該モードロックパルスは、該利得ファイバーを通って伝搬する間に分散を受ける、モードロック要素と、
該レーザー共振器に設けられた、該モードロックパルスによって受けられた該分散を補償するための分散補償デバイスと
を含む装置。
（項目１６）
前記分散補償デバイスは、前記モードロックパルスの中心波長を選択するように構成されている、項目１５に記載の装置。
（項目１７）
前記進行波レーザー共振器は、
前記ファイバー利得媒質を含む一方向の伝搬部分と、
前記分散補償デバイスの構成要素と第一の偏光回転デバイスとを含み、かつ第一の戻す鏡によって終端をなされている第一の両方向の伝搬部分と、
前記モードロックデバイスと第二の偏光回転デバイスとを含み、かつ第二の戻す鏡によって終端をなされている第二の両方向の伝搬部分と
を有し、該第一および第二の両方向の伝搬部分は、該第一および第二の偏光回転デバイスと協同した偏光ビームスプリッターによって、該一方向の伝搬部分と接続されかつ互いに接続されている、項目１６に記載の装置。
（項目１８）
前記波長選択性分散補償デバイスは、第一および第二のレンズと、該第一および第二のレンズの間の回折格子と、該第二のレンズの次にくる平面鏡とを含み、該平面鏡は、前記第一の戻す鏡として機能し、該第一および第二のレンズ、該回折格子、および該鏡は、前記パルスの前記中心波長およびスペクトルバンド幅を選択しかつ前記分散補償を提供するように、構成され、該第一のレンズは、前記共振器の前記一方向の伝搬部分に設けられ、該第二のレンズおよび該回折格子は、該共振器の前記第一の両方向の伝搬部分に設けられている、項目１７に記載の装置。
（項目１９）
前記モードロック要素は、前記共振器の前記第二の両方向の伝搬部分の前記第二の戻す鏡として機能する可飽和ブラッグ鏡である、項目１８に記載の装置。
（項目２０）
前記レーザー共振器の前記一方向の伝搬部分は、第三のレンズを含み、該共振器内の周回において、該共振器の該一方向の伝搬部分における前記利得ファイバーから出るレーザー放射は、該第三のレンズによってコリメートされ、指向されて前記偏光ビームスプリッターを通って該共振器の前記第一の両方向の伝搬部分に入り、前記第一の方向転換鏡によって反射されて該共振器の該第一の両方向の伝搬部分から出て、該偏光ビームスプリッターによって指向されて該共振器の前記第二の両方向の伝搬部分に入り、前記可飽和ブラッグ鏡から反射されて該共振器の該第二の両方向の伝搬部分から出て、該偏光ビームスプリッターを通して透過させられ、前記第一のレンズによって集束させられて該利得ファイバー内に戻される、項目１９に記載の装置。
（項目２１）
パルスファイバーレーザーであって、該レーザーは、
第一および第二の端鏡によって終端をなされている共振器と、
該共振器内に設けられた利得ファイバーと、
該利得ファイバーを励起するためのポンピング源と、
レーザーパルスを発生させるために該レーザーをモードロックするように配置された、該共振器における可飽和吸収体と、
該共振器において該利得ファイバーの一端と該第一の端鏡との間に設けられ、かつ該レーザーパルスにおいて該ファイバーから引き起こされる分散を補償するように該第一の端鏡と共に配置された透明格子と
を含むレーザー。
（項目２２）
前記格子と前記利得ファイバーとの間に設けられた、光を集束させて前記ファイバーに入れるための第一のレンズと、該格子と前記第一の端鏡との間に設けられた第二のレンズとをさらに含む、項目２１に記載のレーザー。
（項目２３）
前記第一の端鏡の表面に対する法線は、前記第二のレンズの光軸に関して傾けられる、項目２２に記載のレーザー。
（項目２４）
前記第二のレンズと前記第一の端鏡との間に設けられた、前記レーザーの前記スペクトルバンド幅を狭くするための開口板をさらに含む、項目２３に記載のレーザー。
（項目２５）
前記第二のレンズと前記第一の端鏡との間に設けられた、前記レーザーの前記スペクトルバンド幅を狭くするための開口板をさらに含む、項目２２に記載のレーザー。
【００１５】
本明細書の一部に組み込まれかつ一部をなす添付の図面は、本発明の原理を明らかにする役目をする、上記に与えられた概略の説明および下記に与えられる好ましい実施形態の詳細な説明と共に、本発明の好ましい実施形態を概略的に図示する。
【図面の簡単な説明】
【００１６】
【図１】図１は、間隔をあけられかつ互いに平行な第一および第二の回折格子を含む先行技術のパルスコンプレッサーを概略的に図示し、第一の格子は、１つの入射ビームを広げて発散スペクトル成分にするように配置され、第二の格子は、スペクトル成分を互いに平行に鏡に入射するように指向するように配置され、鏡は、スペクトル成分を反射して入射経路に沿って戻すように配置され、そのスペクトル成分は、第一の格子によって再結合させられて入射ビームの経路に沿って戻る。
【図２】図２は、商業上利用可能な回折格子についての波長の関数として、１０００ナノメートルと１０８０ナノメートルとの間の範囲における波長の関数として、絶対回折効率を概略的に図示するグラフである。
【図３】図３は、図１のパルスコンプレッサーと同様でありかつ分散補償デバイスとして機能する格子対パルスコンプレッサーを含む先行技術モードロックファイバーレーザーを概略的に図示し、そのファイバーレーザーは、パルスコンプレッサーの鏡とモードロックデバイスとして機能する可飽和ブラッグレフレクターとの間に形成された共振キャビティーを有する。
【図４】図４は、イッテルビウムドープ利得ファイバーについての８５０ナノメートルから１１５０ナノメートルまでの波長範囲における波長の関数として、吸収および発光断面積を概略的に図示するグラフである。
【図５】図５は、本発明に従った、レンズおよび平面鏡と協同した回折格子を含むキャビティー内分散補償デバイスの１つの好ましい実施形態を概略的に図示し、格子および鏡はそれぞれ、デバイスが分散もスペクトル選択性も提供しない中立モードにあるように、レンズからレンズの焦点距離だけ軸方向に間隔をあけられている。
【図６】図６は、図５のデバイスを概略的に図示するが、格子は、デバイスが負の分散を提供し、パルスコンプレッサーとして機能し、さらにパルスのスペクトルバンド幅を制限するためにスペクトル選択性の態様で機能するように、レンズからレンズの焦点距離より大きく間隔をあけられている。
【図６Ａ】図６Ａは、図６のデバイスを概略的に図示するが、鏡は、パルスのバンド幅を制限することに加えてパルスの特定の波長を選択するために、レンズに対して傾いている。
【図７】図７は、本発明に従った、図３のレーザーと同様の線形共振器モードロックファイバーレーザーの好ましい実施形態を概略的に図示するが、格子対パルスコンプレッサーは、本発明に従った、図６の構成におけるスペクトル選択性キャビティー内分散補償デバイスと取り替えられている。
【図８】図８は、図６Ａに描写されたスペクトル選択性分散補償デバイスの平面鏡を傾けることによって、図７の装置の例において発生させられた異なる中心波長のパルスについての測定された光学スペクトルを概略的に図示するグラフである。
【図９】図９は、本発明に従った、図６の構成におけるスペクトル選択性キャビティー内分散補償デバイスを含む、本発明に従ったリング共振器ファイバーレーザーの好ましい実施形態を概略的に図示し、モードロックは、可飽和ブラッグレフレクターによって提供されている。
【発明を実施するための形態】
【００１７】
（発明の詳細な説明）
同様の構成要素が同様の参照数字によって示されている図面の参照を続けると、図５は、本発明に従って、キャビティー内分散補償デバイス５０の１つの好ましい実施形態を概略的に図示する。デバイス５０は、透過回折格子５２と、光軸５６を有する正レンズ５４と、平面鏡５８とを含む。鏡５８は、ファイバー利得媒質を含む線形レーザー共振器の一端の鏡を提供する。利得媒質のための接続ファイバー６０は、フェルール６２によって終端をなされる。
【００１８】
放射パルスは、初め、ファイバー６０（フェルール６２）から発散ビーム６４として出る。ビーム６４は、開口数（ＮＡ）を有し、そのビーム６４は、ＮＡおよびファイバー６０のコア直径によって決定される。発散ビーム６４は、光軸６８を有する正レンズ６６によってコリメートされる。コリメートされたビームは、図５において６４Ｃと示され、かつここで、レンズ６６の光軸６８に中心をもつ断面を有すると想定される。光軸６８は、レンズ５４の光軸５６と回折格子５２で交わる。
【００１９】
前方に伝搬するビーム６４Ｃは、パルスのスペクトルバンド幅に対応するスペクトルバンド幅を有し、すべてのスペクトル成分がビーム断面にわたって等しく分布する。回折格子５２において、スペクトル成分は、回折格子上のビーム６４Ｃの入射面（つまり図面の平面）において広げられてビームの連続的なファンにされる。図面において、例証の簡単のために、最長および最短の波長ビームのみ描写される。
【００２０】
この描写において、格子５２のビーム６４Ｃの入射点は、レンズの焦点距離ｆに等しい距離Ｄだけレンズ５４から軸方向に間隔をあけられ、鏡５８は、同じ焦点距離だけレンズから間隔をあけられる。すべてのスペクトル成分ビームは、鏡に集束させられることにより、鏡において細長いスペクトルを形成する。すべての成分は、鏡５８によって反射されて入射経路に沿って戻され、格子５２によって結合されて戻りの伝搬するコリメートされたビーム６４Ｃにされ、そのビーム６４Ｃは、レンズ６６によって集束させられてファイバー６０内に戻される。
【００２１】
当業者は、特定の配置（図５の格子、レンズ、および鏡）をフーリエ「パルス波形器」と同様であると認識しえ、そのフーリエ「パルス波形器」において、鏡５８は、パルスのスペクトル成分を選択的に減衰させるかまたは除去するように配置された、ピクセル化された反射型空間光変調器（ＳＬＭ）によって取り替えられる。実際、そのような配置は、少なくとも理論上は、レーザーの動作波長を決定するために要求される選択性を提供しうる。しかし、本発明の目的はレーザーのコストを最小にすることであるので、スペクトル選択性は、他の手段によって達成される。
【００２２】
特に図５に描写されるように、デバイス５０は、分散補償も、スペクトル選択性も提供せず、まさにこの構成においては決して使用されない。分散補償とスペクトル選択性との両方は、デバイスの１つ以上の簡単な再構成によって提供されうる。例の目的で、依然として焦点距離ｆだけ間隔をあけられた、レンズ５４および鏡５８の群は、矢印Ａによって示されるように、格子５２の方へ、または格子５２から離して動かされることにより、距離Ｄを変化させることによって、幾分かのスペクトル（主としてバンド幅）選択性と一緒に分散補償を提供しうる。これらの構成要素は、移動ステージに取り付けられることにより、選択的に可変な分散を有するデバイスを生成しうる。あるいは、格子５２、レンズ５４、およびフェルール６２の組み合わせは、レンズ５４および鏡５８が固定された状態で、動かされうる。格子がレンズの焦点距離内に動かされる場合、分散の符号は、格子がレンズからの焦点距離以上である場合の正反対のものである。
【００２３】
中心波長選択性は、図５に矢印Ｃによって示されるように、鏡５８を、軸５６と直角をなす軸５９について傾けることによって提供されうる。レンズ５４は、同様の態様で傾けられることにより、中心波長選択性を達成しうる。中心波長選択性は、格子上のビームの入射面における格子５２上の前方へ伝搬するコリメートされたビーム６４Ｃの入射点を変化させることによっても提供されうる。中心波長選択性は、矢印Ｓによって示されるように、軸５６と直角方向に移動可能な開口板５５を鏡５８の前に設けることによっても提供されうる。板における開口部の幅（高さ）は、鏡によって反射されて戻されたスペクトルのバンド幅を制限するように選択されうる。
【００２４】
図６は、分散補償およびスペクトルバンド幅選択性を提供するデバイス５０の一構成５０Ａを概略的に図示する。ここで、格子５２およびレンズ５４の軸方向の間隔Ｄは、レンズ５４の焦点距離ｆより大きい。格子５４によって広げられた光線は、それらの入射経路に沿って戻ってこず、かつ格子によって再結合されない。より長い波長成分は、より短い波長成分よりも長い経路上をデバイス５０を通って進み、必要な分散補償を提供する。
【００２５】
スペクトル成分は、それらの入射経路に戻ってこないので、すべての成分の仮想の（一度）戻るビームは、入射面（図面の平面）において入射ビームよりも幅広であり、かつ最短の波長成分の波長から最長の波長成分の波長までのビーム幅にわたってスペクトルで部類分けされる（空間的に「チャープされる」）。しかし、（図６において平行模様をつけられた）入射ビーム６４Ｃのビーム経路に向いている（重なる）スペクトル勾配の成分だけが集束させられてファイバー６０内に戻される。他の成分は、レンズの口径の外に向いているか、またはレンズによってファイバーのＮＡ（平行模様をつけられたビーム６４）の範囲外に集束させられるかのどちらかであり、ファイバーによって導かれることができない。それゆえ、デバイスによって終端をなされる共振器において振動しうる放射のバンド幅は、デバイスの構成およびファイバーのＮＡ（出力ビーム６４のＮＡ）によって決定される。この例において、そのバンド幅は、デバイスによって有意に狭くされている。
【００２６】
ここで、図６において、利得ファイバーのＮＡの外の光線は、本発明のデバイスにおいて、スペクトル選択がどのように達成されるかを図示するためだけに描写され、かつ放射がレージングの前の一時的なステージにおいてファイバーから初めに出る場合にのみ存在するということが留意されるべきである。定常状態の動作において、回折格子から戻り、ファイバーのＮＡ内に向いている波長のバンドの範囲外の波長の放射はない。したがって、波長選択メカニズム自身は、損失を生成しない。唯一の有意な損失は、経路あたり１００％よりも小さい効率で、格子を通る２つの経路から生じる。
【００２７】
入射ビーム経路に重なる戻りの伝搬する成分は、依然としてビームにわたってスペクトルで部類分けされるが、ファイバーを通る戻りの経路によって均質化される。本発明のデバイスのこの構成において、狭くされたバンド幅の中心波長は、波長選択性デバイスがない場合のバンド幅の中心波長とほぼ同じであるということも留意されるべきである。しかし、デバイスを含むファイバーレーザーの実際の振動波長は、ファイバーの利得曲線上の狭くされたバンド幅の位置によって異なりうる。
【００２８】
図６Ａは、デバイス５０の別の構成５０Ｂを概略的に図示し、この構成５０Ｂは、分散補償、スペクトルバンド幅選択性、および中心波長選択性を提供する。構成５０Ｂは、鏡５８に対する法線５７がレンズ５４の軸５６に対して小さな角度αだけ傾いているということを除いて、図６の構成５０Ａと同様である。これは、入射ビームの経路に重なる波長がスペクトルの長い波長側からのものであるように、格子から戻る方向におけるスペクトルの部類分けが、レンズ６６の軸６８に関して横方向に動かされる原因となる。反対方向に鏡５８を傾けることは、デバイスのスペクトル勾配の短い波長側から波長を選択する。選択されたバンド幅は、傾けることによってどんな中心波長が選択されても、ほぼ同じである。
【００２９】
図７は、本発明に従った、モードロックファイバーレーザーの１つの好ましい実施形態８０を概略的に図示する。レーザー８０は、先行技術のレーザー２０のスペクトル非選択性格子対キャビティー内分散補償器が、レーザー８０において、本発明に従うスペクトル選択性キャビティー内分散補償器と取り替えられているということを除いて、図３のレーザー２０と同様の定常波または線形共振器レーザーである。レーザー８０において、描写される本発明の補償器の構成は、図６Ａを参照して上記で説明された構成５０Ｂである。
【００３０】
図８は、図７の装置の実験的な例から測定されたパルススペクトルの再現を概略的に図示するグラフである。この例において、利得ファイバー２６は、１％Ｙｂドープファイバーである。ファイバー３２は、０．１２のＮＡを有する。レンズ６６は、１１．０ミリメートル（ｍｍ）の焦点距離を有する。レンズ５４は、５０．０ｍｍの焦点距離を有し、格子５２から６８．０ｍｍだけ軸方向に間隔をあけられている。この配置は、スペクトルバンド幅を約２０ナノメートルに制限した。格子は、Ｆａｒｕｍ、ＤｅｎｍａｒｋのＩｂｓｅｎ  Ｐｈｏｔｏｎｉｃｓ  ＡＳからの１２５０本毎ミリメートル格子である。中心波長は、図６Ａに図示されるように鏡２８を傾けることによって、約１０２０ｎｍ（長破線の曲線）から１０４５ｎｍ（短破線の曲線）まで調整された。ピーク利得は、連続した曲線が調整される約１０３５ｎｍにおいてである。
【００３１】
図９は、本発明に従った、モードロック進行波ファイバーレーザーの実施形態８２を概略的に図示する。レーザー８２は、進行波共振器８３を含み、その進行波共振器８３は、ループまたは一方向の伝搬部分８３Ａと、直線または両方向の伝搬部分８３Ｂおよび８３Ｃとを含む。一方向の伝搬部分は、二色性ビームスプリッター８５と、一方向の伝搬を提供するファラデーアイソレーター９１と、偏光ビームスプリッターキューブ９０と、利得ファイバー８４とによって形成される。ビームスプリッターキューブ９０は、一方向の伝搬部分を両方向の伝搬部分と接続し、かつ両方向の伝搬部分を互いに接続する。
【００３２】
利得ファイバーは、ダイオードレーザー光源８７からの放射によって光ポンピングされる。二色性鏡８８は、ポンピング放射波長に対して高い透過性があり、かつファイバーレーザーによって発生させられた放射に対して高い反射性がある。レンズ８６は、利得ファイバーからのレーザー放射をコリメートし、かつポンピング放射を集束させて利得ファイバー内に入れる。ループ部分においてレーザー放射は、矢印ＰＬによって示されるように、図面の平面において平面偏光される。直線部分において偏光は、伝搬方向および放射が通過する光学的構成要素の偏光特性に従って変動する。
【００３３】
共振器８３内の周回において、利得ファイバー８６からのレーザー放射は、二色性鏡８５によって反射され、偏光ビームスプリッター９０によって透過させられて共振器部分８３Ｂに入る。偏光面は、ファラデー旋光器９２を通過し、鏡９４によって反射されてスペクトル選択性キャビティー内分散補償デバイス５０Ａに入る。本発明に従って、放射は、反射されてデバイス５０Ａから戻り、再びファラデー旋光器９２を通り抜け、偏光ビームスプリッター９０によって反射されて共振器８３の直線部分８３Ｃに入る。ファラデー旋光器９２は、２つの経路上で９０°の偏光の回転を提供するために四分の一波長板と取り替えられうるということが留意されるべきである。
【００３４】
部分８３Ｃにおいて、放射は、放射の偏光を円形にする四分の一波長板９６を通過する。この放射は、レンズ９８によってＳＢＲ２２上に集束させられる。放射は、ＳＢＲによって反射され、レンズ９８によって再びコリメートされ、四分の一波長板を通る戻りの経路によって偏光面の９０°回転と共に平面偏光され、偏光ビームスプリッターキューブによって透過させられて共振器のループ部分８３Ａに入る。ループ部分８３Ａにおいて、放射は、放射の一部（たとえば、約２０％）を出力放射（モードロックパルス）として反射する前面偏光子１００を通り抜ける。残りの放射は、レンズ１０２によって集束させられて利得ファイバー８４内に戻される。
【００３５】
ここで、デバイス５０Ａを出発する放射は、デバイスによって付与された空間的なチャープ（スペクトル勾配）を有し、かつその空間的なチャープを、放射が集束させられて利得ファイバー内に戻されるまで保持するということが留意されるべきである。したがって、レンズ１０２は、図７のレーザー８０におけるレンズ６６と同じ機能を有し、利得ファイバーのＮＡは、デバイス５０Ａの空間的なチャープから波長の範囲を選択する開口部を提供する。
【００３６】
共振器８３は、表面的な考察において、追加の分岐を有するリング共振器であるように見えるが、共振器は、実際は、上記で説明された周回順序を有する単一の共振器実体であるということが強調される。直線部分において反対に伝搬するビームは異なる偏光特性を有するので、共振器の直線部分において建設的または破壊的な干渉はない。
【００３７】
要約すると、本明細書中に説明されたファイバーレーザーは、中にモードロック要素を有する共振器と、たった１つの回折格子を含む本発明の波長選択性分散補償デバイスとを含む。１つの格子しかないので、デバイスにおける損失は、スペクトル選択性のない先行技術の格子対デバイスと比べて、有意に減少させられる。レーザーの説明において、モードロック要素は、可飽和ブラッグレフレクターである。しかし、キャビティー内損失または利得を調節することに基づいた別のタイプのモードロック要素（たとえば、音響光学変調器および電気光学変調器、または非線形偏光回転変調器）が、本発明の精神および範囲から逸脱することなしに使用されうる。
【００３８】
本発明は、好ましい実施形態および他の実施形態に関して上記で説明されている。しかし、本発明は、説明されかつ描写された実施形態に制限されない。逆に、本発明は、本明細書に添付の特許請求の範囲によってのみ制限される。
【図１】
0005851517.tif 000002
【図２】
0005851517.tif 000003
【図３】
0005851517.tif 000004
【図４】
0005851517.tif 000005
【図５】
0005851517.tif 000006
【図６】
0005851517.tif 000007
【図６Ａ】
0005851517.tif 000008
【図７】
0005851517.tif 000009
【図８】
0005851517.tif 000010
【図９】
0005851517.tif 000011